【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
本体に取り付けられた撮影レンズを通過した光を受けて画像信号を出力する撮像素子と、前記撮影レンズを通過した光を受けて輝度情報を出力する測光手段と、前記測光手段の出力に応じて露出量補償値を設定する制御手段とを備えた撮像装置において、
前記制御手段は、前記測光手段の出力する輝度情報に基づいて第１の露出量補償値を設定し、該第１の露出量補償値に基づいて前記撮像素子に前記通過した光の第１の蓄積を行わせ、前記第１の蓄積結果に基づいて第２の露出量補償値を設定し、該第２の露出量補償値に基づいて前記撮像素子に前記通過した光の第２の蓄積を行わせることを特徴とする撮像装置。
【請求項２】
前記撮影レンズは前記本体に対して脱着可能であり、前記制御手段は、前記撮影レンズより前記撮影レンズのレンズ情報を取得し、前記測光手段の出力する輝度情報と前記撮影レンズのレンズ情報に応じて前記露出量補償値を設定して前記撮像素子に第１の蓄積を行わせることを特徴とする請求項１に記載の撮像装置。
【請求項３】
ミラー部材を有し、前記ミラー部材が第１の位置にあるときは前記撮影レンズを通過した光は前記測光手段に到達し、前記ミラー部材が第２の位置にあるときは前記撮影レンズを通過した光は前記測光手段には到達しないことを特徴とする請求項１又は２に記載の撮像装置。
【請求項４】
撮影レンズを通過した光を受けて画像信号を出力する撮像素子と、前記撮像素子とは異なる位置に配置されて前記撮影レンズを通過した光を受けて輝度情報を出力する測光手段と、前記撮影レンズと前記撮像素子の間に進退可能に配置され、前記撮影レンズを通過した光を前記撮像素子とは異なる方向に反射可能なミラー部材と、前記測光手段と前記ミラー部材の間に配置され前記ミラー部材で反射された光を前記測光手段に導く光学部材と、前記測光手段の出力に応じて前記撮像素子の露出量補償値を設定する制御手段とを有する撮像装置において、
前記制御手段は、前記測光手段の出力する輝度情報に基づいて第１の露出量補償値を設定し、該第１の露出量補償値に基づいて前記撮像素子に前記通過した光の第１の蓄積を行わせ、前記第１の蓄積結果に基づいて第２の露出量補償値を設定し、該第２の露出量補償値に基づいて前記撮像素子に前記通過した光の第２の蓄積を行わせることを特徴とする撮像装置。
【請求項５】
使用者が被写体を観察する際に用いる接眼レンズと、前記撮影レンズを通過した光を前記測光手段へ到達する光と前記接眼レンズに到達する光へと分割する光学部材とを有することを特徴とする請求項３又は４に記載の撮像装置。
【請求項６】
前記第１及び第２の露出量補償値には少なくとも前記撮像素子の蓄積時間と出力増幅率の一方が含まれており、前記制御手段は、前記第１の露出量補償値に基づいて少なくとも前記撮像素子の蓄積時間と出力増幅率との一方を変更することにより前記第１の蓄積を行わせ、前記第２の露出量補償値に基づいて少なくとも前記撮像素子の蓄積時間と出力増幅率との一方を変更することにより前記第２の蓄積を行わせることを特徴とする請求項１乃至５のいずれか１項に記載の撮像装置。
【請求項７】
絞りを有し、前記制御手段は、前記絞りが開放状態にあるときに前記測光手段の出力した輝度情報に基づいて前記第２の露出量補正値を算出することを特徴とする請求項１乃至６のいずれか１項に記載の撮像装置。
【請求項８】
撮影レンズを通過した光を受けて画像信号を出力する撮像素子と、前記撮影レンズを通過した光を受けて輝度情報を出力する測光手段とを備えた撮像装置の制御方法において、
前記測光手段によって被写界の輝度情報を求め、前記求められた輝度情報に基づいて第１の露出量補償値を設定し、該第１の露出量補償値に基づいて前記撮像素子に前記通過した光の第１の蓄積を行わせ、前記第１の蓄積結果に基づいて第２の露出量補償値を設定し、該第２の露出量補償値に基づいて前記撮像素子に前記通過した光の第２の蓄積を行わせることを特徴とする撮像装置の制御方法。
【請求項９】
前記輝度情報と前記撮影レンズのレンズ情報に基づいて前記第１の露出量補償値を設定することを特徴とする請求項８に記載の撮像装置の制御方法。
【請求項１０】
撮影レンズを通過した光を、撮像素子とは別に配置された測光手段に到達させる状態と到達させない状態とに切換え可能な撮像装置の制御方法において、
前記測光手段によって被写界の輝度情報を求め、前記求められた輝度情報に基づいて第１の露出量補償値を設定し、該第１の露出量補償値に基づいて前記撮像素子に前記通過した光の第１の蓄積を行わせ、前記第１の蓄積結果に基づいて第２の露出量補償値を設定し、該第２の露出量補償値に基づいて前記撮像素子に前記通過した光の第２の蓄積を行わせることを特徴とする撮像装置の制御方法。
【請求項１１】
コンピュータにより読み込み可能であって、撮影レンズを通過した光を受けて画像信号を出力する撮像素子と、前記撮影レンズを通過した光を受けて輝度情報を出力する測光手段とを備えた撮像装置の制御を実行するプログラムを格納した記憶媒体において、
前記プログラムは、前記測光手段により被写界の輝度情報を求めさせる測光モジュールと、前記求められた輝度情報に基づいて第１の露出量補償値を設定して前記撮像素子に前記通過した光の第１の蓄積を行わせる第１の蓄積モジュールと、前記第１の蓄積結果に基づいて第２の露出量補償値を設定して前記撮像素子に前記通過した光の第２の蓄積を行わせる第２の蓄積モジュールとを備えることを特徴とする記憶媒体。
【請求項１２】
コンピュータにより読み込み可能であって、撮影レンズを通過した光を、撮像素子に到達させる状態と、光学部材を介して前記撮像素子とは別に配置された測光手段に到達させる状態とに切換え可能な撮像装置の制御を実行するプログラムを格納した記憶媒体において、
前記プログラムは、前記測光手段により被写界の輝度情報を求めさせる測光モジュールと、前記求められた輝度情報に基づいて第１の露出量補償値を設定して前記撮像素子に前記通過する光の第１の蓄積を行わせる第１の蓄積モジュールと、前記第１の蓄積結果に基づいて第２の露出量補償値を設定して前記撮像素子に前記通過した光の第２の蓄積を行わせる第２の蓄積モジュールとを備えることを特徴とする記憶媒体。
【手続補正２】
【補正対象書類名】明細書
【補正対象項目名】０００９
【補正方法】変更
【補正の内容】
【０００９】
上記目的を達成するために、請求項８記載の撮像装置の制御方法は、撮影レンズを通過した光を受けて画像信号を出力する撮像素子と、撮影レンズを通過した光を受けて輝度情報を出力する測光手段とを備えた撮像装置の制御方法において、測光手段によって被写界の輝度情報を求め、求められた輝度情報に基づいて第１の露出量補償値を設定し、第１の露出量補償値に基づいて撮像素子に通過した光の第１の蓄積を行わせ、第１の蓄積結果に基づいて第２の露出量補償値を設定し、第２の露出量補償値に基づいて撮像素子に通過した光の第２の蓄積を行わせることを特徴とする。
【手続補正３】
【補正対象書類名】明細書
【補正対象項目名】００１０
【補正方法】変更
【補正の内容】
【００１０】
上記目的を達成するために、請求項１０記載の撮像装置の制御方法は、撮影レンズを通過した光を、撮像素子とは別に配置された測光手段に到達させる状態と到達させない状態とに切換え可能な撮像装置の制御方法において、測光手段によって被写界の輝度情報を求め、求められた輝度情報に基づいて第１の露出量補償値を設定し、該設定された第１の露出量補償値に基づいて撮像素子に通過した光の第１の蓄積を行わせ、第１の蓄積結果に基づいて第２の露出量補償値を設定し、該設定された第２の露出量補償値に基づいて撮像素子に通過した光の第２の蓄積を行わせることを特徴とする。
【手続補正４】
【補正対象書類名】明細書
【補正対象項目名】００１１
【補正方法】変更
【補正の内容】
【００１１】
上記目的を達成するために、請求項１１記載の記憶媒体は、コンピュータにより読み込み可能であって、撮影レンズを通過した光を受けて画像信号を出力する撮像素子と、撮影レンズを通過した光を受けて輝度情報を出力する測光手段とを備えた撮像装置の制御を実行するプログラムを格納した記憶媒体において、前記プログラムは、測光手段により被写界の輝度情報を求めさせる測光モジュールと、求められた輝度情報に基づいて第１の露出量補償値を設定して撮像素子に通過した光の第１の蓄積を行わせる第１の蓄積モジュールと、第１の蓄積結果に基づいて第２の露出量補償値を設定して撮像素子に通過した光の第２の蓄積を行わせる第２の蓄積モジュールとを備えることを特徴とする。
【手続補正５】
【補正対象書類名】明細書
【補正対象項目名】００１２
【補正方法】変更
【補正の内容】
【００１２】
上記目的を達成するために、請求項１２記載の記憶媒体は、コンピュータにより読み込み可能であって、撮影レンズを通過した光を、撮像素子に到達させる状態と、光学部材を介して撮像素子とは別に配置された測光手段に到達させる状態とに切換え可能な撮像装置の制御を実行するプログラムを格納した記憶媒体において、前記プログラムは、測光手段により被写界の輝度情報を求めさせる測光モジュールと、求められた輝度情報に基づいて第１の露出量補償値を設定して撮像素子に通過する光の第１の蓄積を行わせる第１の蓄積モジュールと、第１の蓄積結果に基づいて第２の露出量補償値を設定して撮像素子に通過した光の第２の蓄積を行わせる第２の蓄積モジュールとを備えることを特徴とする。